(57)【特許請求の範囲】
【請求項１】
開口部を有するノーズ部材と、前記開口部内に露出し、照光可能な複数の釦群と、プリント基板に搭載された複数のスイッチ素子とを備え、前記釦群によって前記スイッチ素子がそれぞれ押圧操作される多連釦型スイッチ装置において、前記釦群が、貫通孔を介して対向する第１および第２の釦を一体形成した釦枠と、前記第１および第２の釦の間に配置された第３の釦と、前記釦枠を介して前記第３の釦に一体化された釦カバーとで構成され、
前記第３の釦と前記釦カバーのそれぞれに前記貫通孔の周縁部と係合可能なそれぞれ１対の鍔部を設け、前記第３の釦の鍔部は前記貫通孔周縁の前記釦枠の、前記第１および第２の釦を連結する部位に係合し、前記釦カバーの鍔部は前記貫通孔周縁の前記釦枠の、前記第１および第２の釦の背面側に係合するように設けられていることを特徴とする多連釦型スイッチ装置。
【請求項２】
請求項１の記載において、前記ノーズ部材の内部に前記釦群の脱落を防止する釦ホルダを配設すると共に、この釦ホルダと前記プリント基板との間に複数の膨出部を有するラバーコンタクトを介設し、前記膨出部内に設けられた可動接点と前記プリント基板上に設けられた固定接点とで前記スイッチ素子を構成すると共に、前記プリント基板上に搭載したＬＥＤからの光が前記膨出部を通って前記各釦に導かれるように構成したことを特徴とする多連釦型スイッチ装置。
【請求項３】
請求項２の記載において、前記釦ホルダに前記ラバーコンタクトの各膨出部を臨む３つの孔が穿設されると共に、中央の孔と両側の孔との間に前記釦カバーの前記鍔部の側方へ突出する遮光壁が設けられていることを特徴とする多連釦型スイッチ装置。
【請求項４】
請求項２または３の記載において、前記釦枠が互いに一体化された上部釦枠と下部釦枠とから構成され、これら上部釦枠と下部釦枠の内部が中空構造になっていることを特徴とする多連釦型スイッチ装置。
【発明の詳細な説明】
【０００１】
【発明の属する技術分野】
本発明は、ノーズ部材の開口部内に露出する複数の釦群を押圧することでスイッスのオン／オフ動作が行われる多連釦型スイッチ装置に係り、特に、互いに一体化された２個以上の釦と他の独立した釦とを組み合わせた多連釦型スイッチ装置に関する。
【０００２】
【従来の技術】
図５〜図７はこの種の多連釦型スイッチ装置の従来例を示すものであり、図５は平面図、図６は図５のＢ−Ｂ線に沿う断面図、図７は該スイッチ装置に備えられる釦枠の平面図、図８は該釦枠の裏面図である。
【０００３】
これらの図において、符号２０は開口部２０ａを有するノーズ部材で、このノーズ部材２０は車内のインストルメントパネル等に設置されている。ノーズ部材２０の内部には、開口部２０ａ内に露出する３連型の釦２１，２２，２３と、これら釦２１，２２，２３群をノーズ部材２０に係止する釦ホルダ２４と、各釦２１，２２，２３に対応する複数のタクトスイッチ２５とＬＥＤ２６群を搭載したプリント基板２７が配設されており、これら釦ホルダ２４とプリント基板２７はねじ止めやスナップ結合等の手段を用いてノーズ部材２０に固定されている。
【０００４】
図示左側の釦２１は、アクリル等の透明樹脂からなるアクチュエータ部２１ａと、不透明樹脂（例えば乳白色）からなるキートップ２１ｂとを２色成形したものであり、アクチュエータ部２１ａの先端は対応するタクトスイッチ２５に当接している。同様に図示中央と右側の釦２２，２３もアクチュエータ部２２ａ，２３ａとキートップ２２ｂ，２３ｂとを２色成形したものであり、アクチュエータ部２２ａ，２３ａの先端はそれぞれ対応するタクトスイッチ２５に当接している。また、各キートップ２１ｂ，２２ｂ，２３ｂの表面に文字や図形等を表す照光部２１ｃ，２２ｃ，２３ｃが形成されており、これら照光部２１ｃ，２２ｃ，２３ｃは、キートップ２１ｂ，２２ｂ，２３ｂの表面全体に塗布した有色塗料（例えば黒色）の一部をレーザトリミング等で除去したもので、対応するタクトスイッチ２５と平面的にオーバラップしている。
【０００５】
ただし、各釦２１，２２，２３のうち、両側２つの釦２１，２３は予め一体化されて釦枠２８となっており、この釦枠２８に対して残りの釦２２が組み込まれている。その際、釦枠２８の中央部には貫通孔２８ａが穿設されており、中央の釦２２のキートップ２２ｂは釦枠２８の両釦２１，２３間に配置され、該釦２２のアクチュエータ部２２ａは貫通孔２８ａを挿通してプッシュスイッチ２５に当接している。なお、釦枠２８と中央の釦２２の周縁部は開口部２０ａの周縁部と係止するようにフランジ状に形成されており、当該フランジ状部分をノーズ部材２０の内部で釦ホルダ２４に当接させることにより、各釦２１，２２，２３は開口部２０ａから脱落しないようにノーズ部材２０に組み込まれている。
【０００６】
このように構成された３連釦型スイッチ装置において、ユーザが例えば図示左側の釦２１の天面を押圧操作した場合、釦枠２８が図示右側の釦２３のアクチュエータ部２３ａの先端を支点としてシーソ動作し、釦２１のアクチュエータ部２１ａによって対応するタクトスイッチ２５がオン動作される。同様に、ユーザが図示右側の釦２３の天面を押圧操作した場合、釦枠２８が図示左側の釦２１のアクチュエータ部２１ａの先端を支点としてシーソ動作し、釦２３のアクチュエータ部２３ａによって対応するタクトスイッチ２５がオン動作される。また、ユーザが図示中央の釦２２の天面を押圧操作した場合、該釦２２のキートップ２２ｂが釦枠２８の両釦２１，２３間を真っ直ぐに移動し、釦２２のアクチュエータ部２２ａによって対応するタクトスイッチ２５がオン動作される。
【０００７】
そして、昼間等の明るい所で各ＬＥＤ２６が消灯している場合、ユーザは各キートップ２１ｂ，２２ｂ，２３ｂの色（乳白色）と有色塗料（黒色）とのコントラストにより照光部２１ｃ，２２ｃ，２３ｃを視認することができる。一方、夜間等の暗い所で各ＬＥＤ２６が点灯されている場合、各ＬＥＤ２６の光がアクチュエータ部２１ａ，２２ａ，２３ａからキートップ２１ｂ，２２ｂ，２３ｂを通って照光部２１ｃ，２２ｃ，２３ｃに導かれるため、ユーザは暗所で照光する照光部２１ｃ，２２ｃ，２３ｃを視認することができる。
【０００８】
【発明が解決しようとする課題】
前述した従来の３連釦型スイッチ装置にあっては、必要とされる３連釦のうち両側２つの釦２１，２３を予め一体化して釦枠２８としているため、３つの釦２１，２２，２３を互いに独立した単品の状態でノーズ部材２０に組み込む場合に比べると、全体の構造を簡略化することができる。しかしながら、中央の釦２２は釦枠２８の貫通孔２８ａに単に挿入されているだけで、これら釦２２と釦枠２８は釦ホルダ２４によって開口部２０ａからの脱落が防止されているため、釦２２と釦枠２８を開口部２０ａ内に組み込む時に、両者２２，２８がばらばらになって組立作業性を低下させるという難点がある。すなわち、釦２２と釦枠２８を開口部２０ａ内に組み込む場合、図６と天地を逆にしたノーズ部材２０に対して釦２２と釦枠２８をそれぞれ開口部２０ａ内に落し込み、しかる後に係止用の釦ホルダ２４をノーズ部材２０に固定するという手順が行われるが、かかる組立途中で釦２２は釦枠２８に対して何ら抜け止めされていないため、例えば開口部２０ａの中央に釦２２を落し込んだ後、この釦２２が位置ずれしないよう注意しながら釦枠２８を開口部２０ａに落し込み、これによって両釦２１，２３間に中央の釦２２を配置するという煩雑な作業が必要であった。
【０００９】
また、前述した従来の３連釦型スイッチ装置では、各釦２１，２２，２３のアクチュエータ部２１ａ，２２ａ，２３ａによってタクトスイッチ２５をオン／オフ動作するように構成されているため、キートップ２１ｂ，２２ｂ，２３ｂに形成された照光部２１ｃ，２２ｃ，２３ｃの真下にＬＥＤ２６を配設することができず、タクトスイッチ２５の周囲に配設した複数のＬＥＤ２６の光をそれぞれアクチュエータ部２１ａ，２２ａ，２３ａからキートップ２１ｂ，２２ｂ，２３ｂに導くようになっている。このため、釦枠２８に一体化された釦２１，２３と残りの釦２２を全て２色成形によって作成する必要があり、金型費や加工費を含めて各釦２１，２２，２３の製造コストが高騰するという問題がある。
【００１０】
さらに、中央の釦２２のアクチュエータ部２２ａは釦枠２８の貫通孔２８ａを挿通しており、この貫通孔２８ａ近傍の釦枠２８はキートップ２１ｂ，２３ｂと同様に乳白色等の不透明樹脂からなるため、例えば、両側のタクトスイッチ２５の周囲に配設したＬＥＤ２６の光が釦枠２８を透過して中央のアクチュエータ部２２ａに入り込み、このような光漏れによって各照光部２１ｃ，２２ｃ，２３ｃの明るさが不均一になるという問題が発生する。なお、従来はかかる光漏れ対策として、図８に示すように、釦枠２８の裏面に貫通孔２８ａを囲むように遮光性インク２９を塗布しているが、この遮光性インク２９は釦枠２８の裏面の一部に形成されるもので、必然的に手作業による後加工となるため、この点からも製造コストが高騰するという問題がある。
【００１１】
本発明は、このような従来技術の実情に鑑みてなされたもので、その目的は、組立作業性に優れた多連釦型スイッチ装置を提供することにあり、他の目的は、安価で品質の安定した照光タイプの多連釦型スイッチ装置を提供することにある。
【００１２】
【課題を解決するための手段】
本発明は、ノーズ部材の開口部内に露出する複数の釦群を、貫通孔を介して対向する第１および第２の釦が一体形成された釦枠と、これら第１および第２の釦の間に配置された第３の釦と、釦枠を介して第３の釦に一体化された釦カバーとで構成し、これら第３の釦と釦カバーに貫通孔の周縁部に係合可能な鍔部を設けることとする。このように構成すると、第１および第２の釦を有する釦枠と第３の釦とが釦カバーによって予めユニット化されるため、このユニット品をノーズ部材の開口部内に簡単に組み込むことができる。
【００１３】
【発明の実施の形態】
本発明の多連釦型スイッチ装置では、開口部を有するノーズ部材と、前記開口部内に露出する複数の釦群と、プリント基板に搭載された複数のスイッチ素子とを備え、前記釦群によって前記スイッチ素子がそれぞれ押圧操作される多連釦型スイッチ装置において、前記釦群が、貫通孔を介して対向する第１および第２の釦を一体形成した釦枠と、前記第１および第２の釦の間に配置された第３の釦と、前記釦枠を介して前記第３の釦に一体化された釦カバーとで構成され、前記第３の釦と前記釦カバーのそれぞれに前記貫通孔の周縁部と係合可能な鍔部が設けられている構成にした。
【００１４】
このように構成すると、釦枠を介して第３の釦と釦カバーを一体化することにより、第１および第２の釦を有する釦枠と第３の釦とが予めユニット化されるため、このユニット品をノーズ部材の開口部内に簡単に組み込むことができる。
【００１５】
上記の構成において、スイッチ素子としてタクトスイッチを使用することも可能であるが、照光タイプの多連釦型スイッチ装置である場合、ノーズ部材の内部に配設した釦ホルダとプリント基板との間に複数の膨出部を有するラバーコンタクトを介設し、これら膨出部内に設けられた可動接点とプリント基板上に設けられた固定接点とでスイッチ素子を構成すると共に、プリント基板上に搭載したＬＥＤの光を膨出部を通って各釦の照光部に導くように構成することが好ましい。このように構成すると、ＬＥＤの光を各釦の照光部に直接導くことができるため、各釦を２色成形する必要がなくなって製造コストの低減化が図れる。
【００１６】
この場合において、釦ホルダにラバーコンタクトの各膨出部を臨む３つの孔を穿設すると共に、中央の孔と両側の孔との間に釦カバーの鍔部の側方へ突出する遮光壁を設けると、隣接するＬＥＤの光漏れを遮光壁によって確実に防止することができ、しかも、この遮光壁を釦ホルダに一体形成して構造を簡略化することができる。
【００１７】
また、上記の構成において、釦枠を一体成形品とすることも可能であるが、釦枠を互いに一体化される上部釦枠と下部釦枠とで構成し、これら上部釦枠と下部釦枠の内部を中空構造にすることが好ましい。このように構成すると、上部釦枠と下部釦枠の内部に比較的自由な形状の中空部を形成することができるため、ＬＥＤの光をこの中空部から照光部へと確実に導くことができる。
【００１８】
【実施例】
実施例について図面を参照して説明すると、図１は実施例に係る３連釦型スイッチ装置の平面図、図２は図１のＡ−Ａ線に沿う断面図、図３は該スイッチ装置の分解斜視図、図４は該スイッチ装置に備えられる釦群ユニットの分解斜視図である。
【００１９】
これらの図において、符号１は開口部１ａを有するノーズ部材で、このノーズ部材１はＣＤプレーヤ等の音響機器の前面に取り付けられ、この音響機器が車内のインストルメントパネル等に設置されたとき、車室内に露出するようになっている。ノーズ部材１の内部には、第１および第２の釦２，３を有する上部釦枠４と、この上部釦枠４に一体化された下部釦枠５と、第１および第２の釦２，３間に配置された第３の釦６と、この第３の釦６に一体化された釦カバー７と、釦ホルダ８と、複数の膨出部９ａを有するラバーコンタクト９と、複数のＬＥＤ１０を実装したプリント基板１１とが配設されており、釦ホルダ８とプリント基板１１はラバーコンタクト９を介してノーズ部材１の内部にねじ止め固定されている。
【００２０】
上部釦枠４には下面を開口した中空構造の第１の釦２と第２の釦３とが一体成形されており、これら第１および第２の釦２，３は中央の貫通孔４ａを介して対向している。上部釦枠４は乳白色等の不透明樹脂からなり、その表面全体に塗布した有色塗料（例えば黒色）の一部をレーザトリミング等で除去することにより、第１および第２の釦２，３の天面に照光部２ａ，３ａが形成されている（図１参照）。一方、下部釦枠５は黒色等の遮光性樹脂からなり、前述した上部釦枠４とこの下部釦枠５とをスナップ結合により一体化することで釦枠１２が構成されている。下部釦枠５には中央の貫通孔５ａを介して一対の環状壁５ｂ，５ｃが立設されており、上部釦枠４と下部釦枠５を一体化した際に、これら環状壁５ｂ，５ｃは第１および第２の釦２，３の内部に挿入されるようになっている。また、下部釦枠５には中空筒状の一対のアクチュエータ部５ｄ，５ｅが垂設されており、これらアクチュエータ部５ｄ，５ｅの上部開口端はそれぞれ環状壁５ｂ，５ｃで囲まれた部分に達している。
【００２１】
第３の釦６は上部釦枠４と同様に乳白色等の不透明樹脂からなり、その表面全体に塗布した有色塗料（例えば黒色）の一部をレーザトリミング等で除去することにより、天面に照光部６ａが形成されている（図１参照）。この第３の釦６は釦枠１２の貫通孔４ａ，５ａを臨むように第１および第２の釦２，３間に配置されており、該第３の釦６の相対向する両側面には貫通孔４ａの周縁の上部釦枠４と係合可能な一対の鍔部６ｂが形成されると共に、中空構造の内壁には一対の凹部６ｃが形成されている。一方、釦カバー７は下部釦枠５と同様に黒色等の遮光性樹脂からなり、前述した釦枠１２を介して第３の釦６と釦カバー７とをスナップ結合して一体化することにより、これら釦枠１２と第３の釦６および釦カバー７は釦群ユニット１３として構成されている。この釦カバー７には平板状の鍔部７ａが形成されており、鍔部７ａの外形は貫通孔５ａの周縁の下部釦枠５と係合可能な大きさに設定されている。鍔部７ａ上には一対の凸部７ｂを有する突出壁７ｃが形成されており、この突出壁７ｃを第３の釦６の内部に挿入すると、凸部７ｂが凹部６ｃにスナップインして第３の釦６と釦カバー７とが一体化される。また、鍔部７ａには中空筒状のアクチュエータ部７ｄが垂設されており、このアクチュエータ部７ｄの上部開口端は突出壁７ｃの内部に達している。
【００２２】
釦ホルダ８は黒色等の遮光性樹脂からなり、この釦ホルダ８には各アクチュエータ部５ｄ，５ｅ，７ｄに対向する３つの円形孔８ａが穿設されており、前述した釦群ユニット１３はこの釦ホルダ８によってノーズ部材１から脱落しないようになっている。釦ホルダ８には中央の円形孔８ａを介して対向する一対の遮光壁８ｂが立設されており、これら遮光壁８ｂは釦カバー７の方向へ突出して鍔部７ａの側方とオーバラップしている。また、両側２つの円形孔８ａの周囲には環状の遮光壁８ｃが立設されており、これら遮光壁８ｃはそれぞれ下部釦枠５のアクチュエータ部５ｄ，５ｅの方向へ突出している。
【００２３】
ラバーコンタクト９はシリコンゴム等の弾性に富む絶縁材料からなり、このラバーコンタクト９にはプリント基板１１に実装されたＬＥＤ１０を覆うように複数の膨出部９ａが形成されている。これら膨出部９ａは釦ホルダ８の各円形孔８ａを挿通して各アクチュエータ部５ｄ，５ｅ，７ｄの下端に当接しており、これにより各膨出部９ａが対応するアクチュエータ部５ｄ，５ｅ，７ｄを図２の上方へ付勢し、第３の釦６の鍔部６ｂを含めて釦群ユニット１３の周縁部は開口部１ａの周縁部に係止されている。また、各膨出部９ａには透孔９ｂが形成されており、これら透孔９ｂは対応するアクチュエータ部５ｄ，５ｅ，７ｄの中空部分に通じている。さらに、各膨出部９ａの内部には可動接点１４が設けられており（図２参照）、プリント基板１１上には各可動接点１４に対応して固定接点１５が設けられている。
【００２４】
次に、上述した３連釦型スイッチ装置の組立工程について簡単に説明する。まず、上部釦枠４と下部釦枠５をスナップ結合して釦枠１２とした後、この釦枠１２の貫通孔４ａ，５ａを介して第３の釦６と釦カバー７とをスナップ結合により一体化し、図３に示すように、釦枠１２と第３の釦６および釦カバー７がユニット化された釦群ユニット１３を得る。ここで、第３の釦６の鍔部６ｂは貫通孔４ａの外方へ突出し、釦カバー７の鍔部７ａは貫通孔５ａの外方へ突出しているため、貫通孔４ａ，５ａを介して第３の釦６と釦カバー７とを一体化すると、釦枠１２の中央部が第３の釦６と釦カバー７にサンドウィッチされた状態となり、釦枠１２と第３の釦６および釦カバー７の三者を１つのユニット品として取り扱うことができる。そして、図２と天地を逆にしたノーズ部材１の開口部１ａ内に釦群ユニット１３を落し込んだ後、釦群ユニット１３の上から釦ホルダ８とラバーコンタクト９およびプリント基板１１を順次組み込めば、図２に示すような３連釦型スイッチ装置を組み立てることができる。
【００２５】
このように構成された３連釦型スイッチ装置においては、ユーザが例えば第１の釦２の天面を押圧操作した場合、釦枠１２が第２の釦３のアクチュエータ部５ｅの先端を支点としてシーソ動作し、第１の釦２のアクチュエータ部５ｄがラバーコンタクト９の対応する膨出部９ａを押し潰すため、該膨出部９ａ内に設けられた可動接点１４がプリント基板１１上の固定接点１５に接触してスイッチオン状態となる。同様に、ユーザが第２の釦３の天面を押圧操作した場合、釦枠１２が第１の釦２のアクチュエータ部５ｄの先端を支点としてシーソ動作し、第２の釦３のアクチュエータ部５ｅが対応する膨出部９ａを押し潰すため、該膨出部９ａ内の可動接点１４がプリント基板１１上の固定接点１５に接触してスイッチオン状態となる。また、ユーザが第３の釦６の天面を押圧操作した場合、第３の釦６と釦カバー７が釦枠１２に対して真っ直ぐに移動し、釦カバー７のアクチュエータ部７ｄが対応する膨出部９ａを押し潰すため、該膨出部９ａ内の可動接点１４がプリント基板１１上の固定接点１５に接触してスイッチオン状態となる。
【００２６】
そして、昼間等の明るい所で各ＬＥＤ１０が消灯している場合、ユーザは各釦２，３，６のの色（乳白色）と有色塗料（黒色）とのコントラストにより照光部２ａ，３ａ，６ａを視認することができる。一方、夜間等の暗い所で各ＬＥＤ１０が点灯されている場合、ＬＥＤ１０の光が膨出部９ａの透孔９ｂからアクチュエータ部５ｄ，５ｅ，７ｄの内部を通って照光部２ａ，３ａ，６ａに導かれるため、ユーザは暗所で照光する照光部２ａ，３ａ，６ａを視認することができる。その際、釦ホルダ８には中央の円形孔８ａを介して対向する一対の遮光壁８ｂが立設され、これら遮光壁８ｂが釦カバー７の鍔部７ａの側方とオーバラップしているため、各ＬＥＤ１０から発せられる光の一部が膨出部９ａを透過して光漏れたとしても、その光が隣接するアクチュエータ部５ｄ，５ｅ，７ｄの内部に入り込むことはなく、ＬＥＤ１０の光漏れに起因する各照光部２ａ，３ａ，６ａの輝度むらは確実に防止される。
【００２７】
このように上記実施例によれば、第１および第２の釦２，３を有する釦枠１２を介して第３の釦６と釦カバー７とを一体化することにより、これら釦枠１２と第３の釦６および釦カバー７が予め釦群ユニット１３としてユニット化されるため、この釦群ユニット１３をノーズ部材１の開口部１ａ内に簡単に組み込むことができ、組立作業性を高めることができる。また、ラバーコンタクト９の各膨出部９ａに透孔９ｂを形成し、ＬＥＤ１０の光が膨出部９ａの透孔９ｂからアクチュエータ部５ｄ，５ｅ，７ｄの内部を通って照光部２ａ，３ａ，６ａに導かれるようにしたため、各釦２，３，６を２色成形する必要がなくなり、金型費や加工費を含めて製造コストの低減化が図れる。さらに、釦ホルダ８に釦カバー７の鍔部７ａとオーバラップする遮光壁８ｂを設けたため、各ＬＥＤ１０の光が隣接するアクチュエータ部５ｄ，５ｅ，７ｄの内部に入り込むことを遮光壁８ｂによって防止することができ、ＬＥＤ１０の光漏れに起因する各照光部２ａ，３ａ，６ａの輝度むらを確実に防止できる。
【００２８】
【発明の効果】
本発明は、以上説明したような形態で実施され、以下に記載されるような効果を奏する。
【００２９】
第１および第２の釦を有する釦枠を介して第３の釦と釦カバーとを一体化することにより、これら釦枠と第３の釦および釦カバーを予め予めユニット化することができるため、このユニット品をノーズ部材の開口部内に簡単に組み込むことができ、組立作業性に優れた多連釦型スイッチ装置を提供することができる。
【００３０】
また、照光タイプの多連釦型スイッチ装置に適用する場合、ＬＥＤの光がラバーコンタクトの膨出部を通って各釦の照光部に導かれるように構成すると、ＬＥＤの光を各釦の照光部に直接導くことができるため、各釦を２色成形する必要がなくなって製造コストの低減化を図ることができ、さらに、釦ホルダに釦カバーの鍔部とオーバラップする遮光壁を設けると、隣接するＬＥＤの光漏れを遮光壁によって確実に防止することができ、しかも、この遮光壁を釦ホルダに一体形成して構造を簡略化することができる。
【図面の簡単な説明】
【図１】実施例に係る３連釦型スイッチ装置の平面図である。
【図２】図１のＡ−Ａ線に沿う断面図である。
【図３】該スイッチ装置の分解斜視図である。
【図４】該スイッチ装置に備えられる釦群ユニットの分解斜視図である。
【図５】従来例に係る多連釦型スイッチ装置の平面図である。
【図６】図５のＢ−Ｂ線に沿う断面図である。
【図７】該スイッチ装置に備えられる釦枠の平面図である。
【図８】該釦枠の裏面図である。である。
【符号の説明】
１  ノーズ部材
１ａ  開口部
２  第１の釦
２ａ  照光部
３  第２の釦
３ａ  照光部
４  上部釦枠
４ａ  貫通孔
５  下部釦枠
５ａ  貫通孔
５ｂ，５ｃ  環状壁
５ｄ，５ｅ  アクチュエータ部
６  第３の釦
６ａ  照光部
６ｂ  鍔部
７  釦カバー
７ａ  鍔部
７ｄ  アクチュエータ部
８  釦ホルダ
８ａ  円形孔
８ｂ  遮光壁
９  ラバーコンタクト
９ａ  膨出部
９ｂ  透孔
１０  ＬＥＤ
１１  プリント基板
１２  釦枠
１３  釦群ユニット
１４  可動接点
１５  固定接点
【図１】
0004316782.tif 000002
【図２】
0004316782.tif 000003
【図３】
0004316782.tif 000004
【図４】
0004316782.tif 000005
【図５】
0004316782.tif 000006
【図６】
0004316782.tif 000007
【図７】
0004316782.tif 000008
【図８】
0004316782.tif 000009